(57)【要約】【課題】自動販売機の付属品として常時は機内に配備した電装品を防水保護し、降雨の中で行う商品補給，金銭回収などのメンテナンス作業時には雨避けとして使えるようにようにした利便性の高い自動販売機の雨避け具を提供する。【解決手段】折り畳み可能な防水シート６を基材として、その周囲２辺にマグネットシート７を貼り付けた構成になり、常時は防水シート６を外扉２の裏面に取付けてコインメックなどの電装品５を覆って防水保護し、降雨時に外扉２を開放して商品補給，金銭回収などのメンテナンス作業を行う際には、防水シート７を扉裏面から取り外して拡げ、マグネットシート７を開放した外扉２の上縁とキャビネット１の天板に吸着固定し、防水シート６を作業者の雨避けとして使用する。【選択図】　　　図１
2004070878.tif 000002
【特許請求の範囲】
【請求項１】
庫内に商品収納ラックを搭載した本体キャビネットの前面に外扉を備え、該外扉の裏面に電装品を配備した自動販売機の雨避け具であって、折り畳み可能な防水シートを基材として、そのコーナー部を挟む周縁二辺に沿ってマグネットシートを貼り付けた構成になり、常時は防水シートを外扉の裏面に取付けて電装品を覆い、降雨時に外扉を開放してメンテナンス作業を行う際には、防水シートのマグネットシートを開放した外扉の上縁とキャビネットの天板に吸着固定させて作業者の雨避けとすることを特徴とする自動販売機の雨避け具。
【請求項２】
請求項１記載の雨避け具において、防水シートの形状を外扉の開放角度に合わせて裁断したことを特徴とする自動販売機の雨避け具。
【発明の詳細な説明】
【０００１】
【発明の属する技術分野】
本発明は、屋外設置の自動販売機に適用する雨避け具に関する。
【０００２】
【従来の技術】
まず、頭記した自動販売機の構成を図４に示す。図において、１は前面開放形の本体キャビネット、２は本体キャビネット１の前面に配した片開き式の外扉、２ａは商品取出口、３は断熱内扉、４は本体キャビネット１の庫内に搭載した商品収納ラック（例えばサーペンタイン式商品収納ラック）、４ａは商品収納ラック４の商品投入口、５は外扉２の裏面に配備したコインメック，制御ボックスなどの電装品である。
【０００３】
かかる構成の自動販売機は周知であり、常時は外扉２，内扉３を閉じた状態で商品販売を行い、商品補給，金銭回収，庫内点検などのメンテナンス作業を行う際には、外扉２を開放した上で庫外前方から作業者が庫内にアクセスして作業を行うようにしている。
【０００４】
【発明が解決しようとする課題】
上記の自動販売機を屋外に据え付けて使用する場合には、次のような降雨対策が必要である。すなわち、本体キャビネット１および外扉２は防水構造となっているが、降雨時には本体キャビネット１と外扉２との間の隙間から浸透した雨水が扉裏面に装着した電装品５を濡らして故障を引き起こすおそれがあり、そのために従来の自動販売機では、電装品５に対する防水対策として、透明ビニールなどのシートを外扉２の裏面に貼り付けて電装品５を覆うようにしている。
【０００５】
一方、従来の自動販売機では、降雨中に自動販売機のロケーション先現場で行う商品補給，金銭回収などのメンテナンス作業をに対する雨避け対策を講じたものはなく、このためにルートマン（巡回作業者）は自分で傘をさしたり、傘の代わりに段ボールをキャビネットの天板に掛けるなどして雨を避けるようにしているのが現状である。
【０００６】
本発明は上記の点に鑑みなされたものであり、自動販売機の付属品として通常時は機内に配備した電装品を防水保護し、降雨の中で行う商品補給，金銭回収などのメンテナンス作業時には雨避けとして使えるようにようにした利便性の高い自動販売機の雨避け具を提供することを目的とする。
【０００７】
【課題を解決するための手段】
上記目的を達成するために、本発明の雨避け具は、折り畳み可能な防水シートを基材として、そのコーナー部を挟む周縁二辺に沿ってマグネットシートを貼り付けた構成になり、常時は防水シートを外扉の裏面に取付けて電装品を覆うようにし、降雨時に外扉を開放して商品補給，金銭回収のなどのメンテナンス作業を行う際には、防水シートのマグネットシートを外扉の上縁とキャビネットの天板に吸着固定し、作業者（ルートマン）の雨避けとして使用するよう構成する（請求項１）ものとし、その防水シートの形状は自動販売機の外扉の開放角度に合わせて裁断形成するようにする（請求項２）。
【０００８】
上記構成の雨避け具を、機内の電装品（コインメックなど）を覆う防水シート兼用の付属品として自動販売機に装備しておくことにより、降雨の中でルートマンが商品補給，金銭回収などの作業を行う場合には、外扉の裏面に取付けてある防水シートを拡げた上で、開放している外扉の上縁と本体キャビネットの天板との間に跨がって架け渡すことにより、多少の雨であれば防水シートを雨避けとしてルートマンは雨に濡れずに作業を行うことができる。しかも、マグネットシートを相手側部材に吸着させて防水シートを固定することでセッティングが簡単で、かつ多少の風があっても防水シートが飛ばされることもない。
【０００９】
【発明の実施の形態】
以下、本発明の実施の形態を図１〜図３に示す実施例に基づいて説明する。なお、実施例の図中で図４に対応する部材には同一符号を付してその説明は省略する。
まず、この実施例による雨避け具の構造を図３（ａ），（ｂ）　に示す。すなわち、雨避け具はビニールなどで作られた折り畳み可能な防水シート６を基材として、その周囲２辺に沿ってマグネットシート７を接着剤により貼り付けて固定した構造になる。ここで、防水シート６の形状は外扉２の開放角度（一般的に外扉２は開放角度１３５°と９０°の位置で係止できるようにしている）に合わせて図示のようにマグネットシート７を布設する２辺のコーナー角度を１３５°に定め、かつシート上辺の横幅寸法Ｌを外扉２の裏面側に配備した電装品５（図４参照）の配列幅に合わせて裁断しておく。
【００１０】
そして、この雨避け具を自動販売機の付属品として、常時は図３（ａ）　の折り線Ｔに沿って防水シート６の右側端部を鎖線位置に折り返して畳み、この状態で図１（ａ）　で示すように自動販売機の外扉２の裏面側に取付け（マグネットシート７を扉板に吸着保持させる）、扉裏面側に配備した電装品（コインメックなど）５を覆うようにしておく。これにより、電装品５が外扉２と本体キャビネット１との隙間から浸透した雨水に濡れることが防げる。
【００１１】
一方、雨天時にルートマンが自動販売機のロケーション先を巡回して商品補給，金銭回収などのメンテナンス作業を行う際には、外扉２を開放した後、防水シート６を図１（ａ）　の位置から取り外して折り畳まれていたシートを拡げた上で、図１（ｂ）　のように一方のマグネットシート７を開放（開放角度１３５°）した外扉２の上縁に、他方のマグネットシート７を本体キャビネット１の天板前縁に吸着させて防水シート６を拡げた状態で固定する。これにより、多少の雨であれば、防水シート６を雨避け天蓋としてルートマンは濡れずにメンテナンス作業を行うことができる。
【００１２】
なお、図２のように外扉２の開放角度を９０°に設定した開放状態では、片方のマグネットシート７を図示のように本体キャビネット１の天板上面に吸着させて使用する。
【００１３】
【発明の効果】
以上述べたように、本発明の構成になる雨避け具を自動販売機の付属品として機内に装備しておくことにより、常時は機内側に装備した電装品を防水保護し、また降雨の中で作業者（ルートマン）が外扉を開いて商品補給，金銭回収などのメンテナンス作業を行うに際し、防水シートを外扉の裏面から取り外して外扉の上縁と本体キャビネットの天板との間に拡げて架け渡すことにより、多少の雨であれば作業者は雨に濡れずに作業が行える利便性が得られる。
【図面の簡単な説明】
【図１】本発明の実施例による雨避け具の使用説明図で、（ａ）　は外扉の裏面側に配備した電装品を覆った使用状態、（ｂ）　は降雨中に外扉を開いて作業を行う際の使用状態を表す俯瞰図
【図２】外扉の開放角度９０°とした場合における雨避け具の使用状態を表す俯瞰図
【図３】図１，図２における雨避け具の構造図で、（ａ）　は展開図，（ｂ）　は（ａ）　における矢視Ｘ−Ｘ断面図
【図４】本発明の雨避け具を適用する自動販売機の扉開放状態の外観図
【符号の説明】
１　　本体キャビネット
２　　外扉
４　　商品収納ラック
５　　電装品
６　　防水シート
７　　マグネットシート
【図１】
2004070878.tif 000003
【図２】
2004070878.tif 000004
【図３】
2004070878.tif 000005
【図４】
2004070878.tif 000006